【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
軸心方向に巻回された位置指示用コイルを有する電子ペンを収納する収納部を備える位置検出装置において、
前記収納部に近接して配置される平面状コイルであって、当該平面状コイルの中心軸方向が前記収納部に収納された前記電子ペンの前記軸心方向に交差する方向となるとともに、前記平面状コイルの面と前記収納部に収納された前記電子ペンの軸心とがほぼ平行となり、発生させる磁束のうち、当該電子ペンの前記位置指示用コイルに対して互いに逆方向に鎖交する磁束の数が、等しくならない位置に配置される平面状コイルと、
前記平面状コイルへの信号の供給と電磁誘導による前記平面状コイルを通じた信号の受信とを交互に実行するように制御する第１の制御手段と、
前記平面状コイルを通じて受信する信号の有無に応じて、前記収納部での前記電子ペンの挿抜の状態を検知する第１の検知手段と
を備えることを特徴とする位置検出装置。
【請求項２】
前記平面状コイルは、発生させる磁束のうち向きが同一方向の磁束だけが、前記収納部に収納された前記電子ペンの前記位置指示用コイルに対して鎖交する位置に配置されることを特徴とする請求項１に記載の位置検出装置。
【請求項３】
前記平面状コイルは、前記電子ペンが前記収納部に収納された場合において、当該平面状コイルの一部分を通る前記中心軸方向に、前記電子ペンの前記位置指示用コイルの一部が位置することになる位置に、あるいは、当該平面状コイルの一部に偏った位置に、前記電子ペンの前記位置指示用コイルが位置することになる位置に、配置されることを特徴とする請求項１に記載の位置検出装置。
【請求項４】
第１の方向に配設された複数の第１のループコイルと、前記第１の方向と交差する第２の方向に配設された複数の第２のループコイルを有し、前記電子ペンによって指示される位置を検出する位置検出センサと、
複数の前記第１のループコイルと複数の前記第２のループコイルの内、信号を送信するループコイルを特定して信号を供給するように制御し、信号を受信するループコイルを特定して信号を受信するように制御する第２の制御手段と、
信号を受信するコイルとして特定したコイルからの信号に基づいて、前記位置検出センサ上の前記電子ペンによる指示位置を検出する第２の検出手段と、
前記第１の検出手段により、前記電子ペンが前記収納部に収納されている状態であることが検出されている場合には、少なくとも前記第２の制御手段を制御して、前記位置検出センサを通じた前記電子ペンによって指示される位置の検出を行わないように制御する位置検出制御手段と
を備えることを特徴とする請求項１に記載の位置検出装置。
【請求項５】
前記第１の制御手段と第２の制御手段とは、１つの制御手段の構成とされ、
前記第１の検出手段と第２の検出手段とは、１つの検出手段の構成とされることを特徴とする請求項４に記載の位置検出装置。
【請求項６】
前記平面状コイルは、前記位置検出センサの複数の前記第１のループコイルと複数の前記第２のループコイルとの内の１つが用いられて形成されており、
前記第１の制御手段と第２の制御手段とは、１つの制御手段の構成とされ、
前記第１の検出手段と第２の検出手段とは、１つの検出手段の構成とされることを特徴とする請求項４に記載の位置検出装置。
【請求項７】
前記平面状コイルは、フレキシブルプリント配線板として実現されることを特徴とする請求項１から請求項５のいずれかに記載の位置検出装置。
【請求項８】
前記平面状コイルの下側には、磁性シートが配置されることを特徴とする請求項１から請求項７のいずれかに記載の位置検出装置。
【請求項９】
前記平面状コイルの下側には、電磁シールドが設けられることを特徴とする請求項１から請求項８のいずれかに記載の位置検出装置。
【請求項１０】
軸心方向に巻回された位置指示用コイルを有する電子ペンを収納する収納部と、前記収納部に近接して配置される平面状コイルであって、当該平面状コイルの中心軸方向が前記収納部に収納された前記電子ペンの前記軸心方向に交差する方向となるとともに、前記平面状コイルの面と前記収納部に収納された前記電子ペンの軸心とがほぼ平行となり、発生させる磁束のうち、当該電子ペンの前記位置指示用コイルに対して互いに逆方向に鎖交する磁束の数が、等しくならない位置に配置される平面状コイルと、第１の方向に配設された複数の第１のループコイルと前記第１の方向と交差する第２の方向に配設された複数の第２のループコイルを有し、前記電子ペンによって指示される位置を検出する位置検出センサと、を備えた位置検出装置において用いられる前記位置検出センサの制御方法であって、
第１の制御手段が、前記平面状コイルへの信号の供給と電磁誘導による前記平面状コイルを通じた信号の受信とを交互に実行するように制御する第１の制御工程と、
第１の検知手段が、前記平面状コイルを通じて受信する信号の有無に応じて、前記収納部での前記電子ペンの挿抜の状態を検知する第１の検知工程と、
第２の制御手段が、複数の前記第１のループコイルと複数の前記第２のループコイルの内、信号を送信するループコイルを特定して信号を供給するように制御し、信号を受信するループコイルを特定して信号を受信するように制御する第２の制御工程と、
第２の検出手段が、信号を受信するコイルとして特定したコイルからの信号に基づいて、前記位置検出センサ上の前記電子ペンによる指示位置を検出する第２の検出工程と、
位置検出制御手段が、前記第１の検出手段により、前記電子ペンが前記収納部に収納されている状態であることが検出されている場合には、少なくとも前記第２の制御手段を制御して、前記位置検出センサを通じた前記電子ペンによって指示される位置の検出を行わないように制御する位置検出制御工程と
を有することを特徴とする位置検出センサの制御方法。
【手続補正２】
【補正対象書類名】明細書
【補正対象項目名】００１３
【補正方法】変更
【補正の内容】
【００１３】
上記課題を解決するため、請求項１に記載の発明の位置検出装置は、
軸心方向に巻回された位置指示用コイルを有する電子ペンを収納する収納部を備える位置検出装置において、
前記収納部に近接して配置される平面状コイルであって、当該平面状コイルの中心軸方向が前記収納部に収納された前記電子ペンの前記軸心方向に交差する方向となるとともに、前記平面状コイルの面と前記収納部に収納された前記電子ペンの軸心とがほぼ平行となり、発生させる磁束のうち、当該電子ペンの前記位置指示用コイルに対して互いに逆方向に鎖交する磁束の数が、等しくならない位置に配置される平面状コイルと、
前記平面状コイルへの信号の供給と電磁誘導による前記平面状コイルを通じた信号の受信とを交互に実行するように制御する第１の制御手段と、
前記平面状コイルを通じて受信する信号の有無に応じて、前記収納部での前記電子ペンの挿抜の状態を検知する第１の検知手段と
を備えることを特徴とする。
【手続補正３】
【補正対象書類名】明細書
【補正対象項目名】００１４
【補正方法】変更
【補正の内容】
【００１４】
この請求項１に記載の発明の位置検出装置によれば、軸心方向に巻回された位置指示用コイルを有する電子ペンを収納する収納部が設けられており、当該収納部に近接して平面状コイルが配置される。この平面状コイルは、当該平面状コイルの中心軸方向が収納部に収納された電子ペンの軸心方向に交差する方向となるとともに、当該平面状コイルの面と収納部に収納された電子ペンの軸心とがほぼ平行となり、発生させる磁束のうち、収納部に収納された電子ペンの位置指示用コイルに対して互いに逆方向に鎖交する磁束の数が、等しくならない位置に配置される。このようにすることにより、収納部に収納された電子ペンの位置指示用コイルと位置検出装置に設けられる平面状コイルとの間で効率よく信号の授受が行える。